(57)【要約】      （修正有）【課題】収納本体に対して通信端末を正規の収納位置からずらすことができ、ずらした位置でも装着しておける通信端末収納具を提供する。【解決手段】カメラＡ１を有する通信端末Ａの背面に設けられる装着体３と、この装着体３を有する通信端末Ａの少なくとも背面、正面及び背面と正面とを繋ぐ側面を被覆する収納本体とを備えている。前記通信端末Ａの装着体３には磁性材４が設けられており、前記通信端末Ａの背面を被覆する収納本体の背面取付部Ｂ１には、通信端末Ａ及び装着体３をその背面が完全に被覆される位置αと、カメラＡ１がはみ出た位置とに位置変更可能に磁着する磁石５が設けられている。【選択図】図１
0003202572.tif 000002
【実用新案登録請求の範囲】
【請求項１】
カメラ（Ａ１）を有する通信端末（Ａ）の背面に設けられる装着体（３）と、この装着体（３）を有する通信端末（Ａ）の少なくとも背面、正面及び背面と正面とを繋ぐ側面を被覆する収納本体（Ｂ）とを備えている通信端末用収納具において、
前記通信端末（Ａ）の装着体（３）には磁性材（４）が設けられており、
前記通信端末（Ａ）の背面を被覆する収納本体（Ｂ）の背面取付部（Ｂ１）には、通信端末（Ａ）及び装着体（３）をその背面が完全に被覆される位置（α）と、カメラ（Ａ１）がはみ出た位置（β）とに位置変更可能に磁着する磁石（５）が設けられていることを特徴とする通信端末用収納具。
【請求項２】
前記通信端末（Ａ）及び装着体（３）と背面取付部（Ｂ１）とは、磁性材（４）と磁石（５）とが磁着したまま摺動して位置変更可能であることを特徴とする請求項１に記載の通信端末用収納具。
【請求項３】
前記背面取付部（Ｂ１）の磁石（５）は、上下方向に長い帯板状磁石（５）を左右方向に複数枚設けていることを特徴とする請求項１又は２に記載の通信端末用収納具。
【請求項４】
前記通信端末（Ａ）の装着体（３）は、通信端末（Ａ）を収納する透明な内ケース（３Ａ）であり、この内ケース（３Ａ）の内面に磁性材（４）が添設されており、この磁性材（４）の表面が鏡面であることを特徴とする請求項１〜３のいずれか１項に記載の通信端末用収納具。
【請求項５】
前記通信端末（Ａ）の装着体（３）は、通信端末（Ａ）の背面に装着された意匠生地（３Ｂ）であり、この意匠生地（３Ｂ）の内面に磁性材（４）が添設されていることを特徴とする請求項１〜３のいずれか１項に記載の通信端末用収納具。
【請求項６】
前記完全被覆位置（α）の通信端末（Ａ）のカメラ（Ａ１）と対向可能な背面取付部（Ｂ１）の上部には、ミラー（６）が設けられていることを特徴とする請求項１〜５のいずれか１項に記載の通信端末用収納具。
【考案の詳細な説明】
【技術分野】
【０００１】
本考案は、携帯用の通信端末を収納する手帳型の通信端末用収納具に関する。
【背景技術】
【０００２】
この種の通信端末用収納具として、特許文献１に開示されている技術は、多機能携帯電話器やその他の携帯通信端末へ背後から抱き付け使用される受け座と、その受け座の抱き付け状態にある上記携帯通信端末を、全体的に被覆する折り曲げ可能なカバーシートとから成る携帯通信端末の収納用具において、上記携帯通信端末の受け座とそのカバーシートの受け座用バック取付面との互いに対応合致する部位へ、吸引作用する磁石を各々埋設一体化すると共に、その磁石同士の吸引力によって面接触することとなる上記受け座とそのカバーシートにおける受け座用バック取付面との何れか一方から他方に向かって滑り止め用凸子を隆起させ、その他方に凸子受け入れ凹溝又は凸子受け入れ貫通孔を対応形成して、上記携帯通信端末の受け座をそのカバーシートの受け座用バック取付面へ表側から、その磁石同士の吸引作用並びに滑り止め用凸子とその凸子受け入れ凹溝又は凸子受け入れ貫通孔との嵌合作用を介して、着脱自在に取り付けている（請求項１）。
【先行技術文献】
【特許文献】
【０００３】
【特許文献１】実用新案登録第３１９５６６５号公報
【考案の概要】
【考案が解決しようとする課題】
【０００４】
前記従来技術は、携帯通信端末の受け座はそのカバーシートの受け座用バック取付面へ、互いに対応合致する磁石同士の吸引力並びに滑り止め用凸子とその凸子受け入れ凹溝又は凸子受け入れ貫通孔との嵌合作用を介して、着脱自在に取り付けられるようになっているため、上記カバーシートによる携帯通信端末の被覆状態において、その姿勢が如何ように変化したとしても、その携帯通信端末がカバーシートから滑り出し落下するおそれはなく、安心して携帯できる効果がある。
【０００５】
しかしながら、カメラ付き通信端末のカメラ機能を利用するときには、通信端末を磁石の磁力に抗して受け座から剥がさなくてはならなく、また、滑り止め用凸子と受け入れ貫通孔の嵌合離脱も必要とし、通信端末と収納具とを別個に持って、撮影をしなければならない。
本考案は、このような従来技術の問題点を解決できるようにした通信端末用収納具を提供することを目的とする。
【０００６】
本考案は、収納本体に対して通信端末を正規の収納位置からずらすことができ、ずらした位置でも装着しておけるようにした通信端末用収納具を提供することを目的とする。
【課題を解決するための手段】
【０００７】
本考案における課題解決のための具体的手段は、次の通りである。
第１に、カメラＡ１を有する通信端末Ａの背面に設けられる装着体３と、この装着体３を有する通信端末Ａの少なくとも背面、正面及び背面と正面とを繋ぐ側面を被覆する収納本体Ｂとを備えている通信端末用収納具において、
前記通信端末Ａの装着体３には磁性材４が設けられており、
前記通信端末Ａの背面を被覆する収納本体Ｂの背面取付部Ｂ１には、通信端末Ａ及び装着体３をその背面が完全に被覆される位置αと、カメラＡ１がはみ出た位置βとに位置変更可能に磁着する磁石５が設けられていることを特徴とする。
【０００８】
第２に、前記通信端末Ａ及び装着体３と背面取付部Ｂ１とは、磁性材４と磁石５とが磁着したまま摺動して位置変更可能であることを特徴とする。
第３に、前記背面取付部Ｂ１の磁石５は、上下方向に長い帯板状磁石５を左右方向に複数枚設けていることを特徴とする。
第４に、前記通信端末Ａの装着体３は、通信端末Ａを収納する透明な内ケース３Ａであり、この内ケース３Ａの内面に磁性材４が添設されており、この磁性材４の表面が鏡面で
あることを特徴とする。
【０００９】
第５に、前記通信端末Ａの装着体３は、通信端末Ａの背面に装着された意匠生地３Ｂであり、この意匠生地３Ｂの内面に磁性材４が添設されていることを特徴とする。
第６に、前記完全被覆位置αの通信端末ＡのカメラＡ１と対向可能な背面取付部Ｂ１の上部には、ミラー６が設けられていることを特徴とする。
【考案の効果】
【００１０】
本考案によれば、収納本体に対して通信端末を正規の収納位置からずらすことができ、ずらした位置でも装着しておける。
即ち、請求項１に係る考案は、収納本体Ｂの背面取付部Ｂ１に通信端末Ａを磁着しておいて、この通信端末Ａを位置変更することができ、収納本体Ｂに対して通信端末Ａを正規の完全被覆位置（収納位置）αからずれた、カメラＡ１がはみ出た位置βでも装着しておける。
【００１１】
請求項２に係る考案は、磁性材４と磁石５との位置変更は磁着したまま摺動して行うことができ、通信端末Ａを収納本体Ｂから離脱させる必要がない。
請求項３に係る考案は、磁石５は上下方向に長いので、通信端末ＡのカメラＡ１を背面取付部Ｂ１に隠れる位置から上方へ突出させて、収納本体Ｂの上側に露出させることができる。
【００１２】
請求項４に係る考案は、透明な内ケース３Ａに磁性材４を添設して、ミラーとして使用できる。
請求項５に係る考案は、装着体３は、通信端末Ａの背面に意匠生地３Ｂを設けて磁性材４を添設することができる。
請求項６に係る考案は、背面取付部Ｂ１の上部にミラー６が設けられているので、通信端末Ａを位置変更することによりミラー６を利用できる。
【図面の簡単な説明】
【００１３】
【図１】本考案の実施形態を示す展開状態の正面図である。
【図２】通信端末のカメラをはみ出た状態の要部の正面図である。
【図３】通信端末用収納具を閉鎖した状態の断面平面図である。
【図４】装着体を意匠生地で形成した変形例を示す断面平面図である。
【考案を実施するための形態】
【００１４】
以下、本考案の実施の形態を図面に基づいて説明する。
図１〜３において、通信端末用収納具１は、カメラＡ１を有する通信端末Ａの背面に設けられる装着体３と、この装着体３を有する通信端末Ａの少なくとも背面、正面及び背面と正面とを繋ぐ側面を被覆する収納本体Ｂとを備えている。
通信端末Ａは、無線通信端末、多機能携帯電話器、スマートフォン、フィーチャーフォン等と称され、正面には指操作可能な液晶ディスプレイが配置され、背面上部にフラッシュ付きカメラＡ１が内蔵されている。
【００１５】
この通信端末Ａの表面保護には装着体３が装着されており、この装着体３には、背面と周囲縁とを覆う形状の内ケース３Ａと、通信端末Ａの背面にのみ装着される形状の意匠生地（図４に示す変形例。）とがあり、図１〜３においては、通信端末Ａに嵌合する内ケース３Ａを例示している。
内ケース３Ａは透明樹脂又は有色樹脂で形成され、背面上部には通信端末Ａのフラッシュ付きカメラＡ１に対向して光通孔１１が形成されており、背面中央の内面側には磁性材４が設けられている。この磁性材４は薄い鉄板、鋼板等の強磁性でかつ軽量の磁性材料のものが好ましい。
【００１６】
前記磁性材４の形状は、上下方向に長い長方形薄板であり、左右に２枚併設している。
前記収納本体Ｂは２つ折りの手帳型保護ケースであり、布、合皮、皮等の生地１２、１３を表裏２枚重ねてその周囲部及び中間部を縫着して形成しており、通信端末Ａの背面を被覆する背面取付部Ｂ１と、正面を被覆する表紙部Ｂ２と、背面取付部Ｂ１と表紙部Ｂ２とを繋ぐ側面部Ｂ３とを有している。表紙部Ｂ２は内面側にはさらに、表紙部Ｂ２と略同一形状の矩形状の補助生地１４を重ねて逢着している。
【００１７】
収納本体Ｂの背面取付部Ｂ１は、上部に銀ホイルシール、鏡面仕上げした薄板金属等で形成したミラー６が添設（接着）され、表裏生地１２、１３の間に薄板磁石５が挿入配置されて、生地１２、１３の一方に接着されている。
この磁石５は上下方向に長い帯板状磁石を左右方向に２枚設けている。磁石５は大面積のものを１枚設けてもよく、細長い帯板を３枚以上配列してもよく、円形又は矩形の薄板磁石を縦横に多数枚設けてもよい。左右２枚の磁石５は、左右２枚の磁性材４と略オーバラップする形状である。
【００１８】
前記磁石５は、通信端末Ａ及び装着体３をその背面が背面取付部Ｂ１に完全に被覆される位置αと、カメラＡ１が背面取付部Ｂ１からはみ出た位置βとに磁着（吸引装着）することのできる位置及び形状に形成されている。図２においては、通信端末Ａ及び装着体３を完全被覆位置αから上方へはみ出している。
即ち、磁石５は背面取付部Ｂ１の大半の部分に広がって配置され、また通信端末Ａ及び装着体３の側に設けられた磁性材４も大きい面積を有し、磁石５と略オーバラップすることにより、通信端末Ａ及び装着体３は背面取付部Ｂ１と正対向する完全被覆位置αで磁着されるが、それ以外でも、通信端末Ａ及び装着体３の周囲部の一部が背面取付部Ｂ１からはみ出た位置βでも磁着され、はみ出た位置βは完全被覆位置αから上方へずれた位置に限らず、下方または左右側方へずれた位置でもよい。
【００１９】
背面取付部Ｂ１には光通孔が有っても無くてもよく、無い場合には、通信端末Ａ及び装着体３を背面取付部Ｂ１の磁石５に磁着したまま強制的に摺動して、完全被覆位置αからフラッシュ付きカメラＡ１が背面取付部Ｂ１からはみ出た位置βまで位置変更することにより、写真を撮ることが可能になる。
また、通信端末Ａ及び装着体３を完全被覆位置αから下方にずらし、背面取付部Ｂ１の上部のミラー６を露出した状態で、ミラー６を見ながら通信端末Ａを操作することもできる。
【００２０】
通信端末Ａ及び装着体３は、はみ出た位置βでも、磁性材４と磁石５とが部分的にオーバラップすることにより、背面取付部Ｂ１に確実に装着しておくことができ、収納本体Ｂを手持ちすることが通信端末Ａを手持ちすることになり、両者を別個に手持ちする必要はない。
なお、内ケース３Ａを透明樹脂で形成し、背面取付部Ｂ１の上部にミラー６を設けておくと、通信端末Ａが着信報知時にフラッシュを発光させる機能がある機種であれば、着信時にフラッシュが発光して、その光がミラー６で反射拡散され、内ケース３Ａの周囲部が発光するという作用をさせることができる。
【００２１】
前記背面取付部Ｂ１の側縁には磁石付きバンド１５が連結されており、この磁石付きバンド１５の磁石１５ａは、折り畳んだときの表紙部Ｂ２の側縁近傍に設けられた磁石１６と磁着可能になっている。
表紙部Ｂ２には、フィルム、皮、合皮、布等の補助生地１４が重ね逢着されており、この補助生地１４に複数のカードスロット１７が形成され、下側のカードスロット１７の下方に開口１８が形成され、この開口１８は透明軟質樹脂シート１９で覆われている。下側のカードスロット１７から写真を挿入して開口１８から見ることができる。前記透明軟質樹脂シート１９を設ける位置にまたはその上にミラーを設けてもよい。
【００２２】
前記補助生地１４は、２枚折りの生地を使用し、その側面部Ｂ３側を縫着せずに開放しておくと、名刺またはメモ用紙等を挿入可能なポケットが形成できる。
前記表紙部Ｂ２は上側のカードスロット１７の上方に表裏を貫通する貫通孔２１が複数形成されている。折畳み状態でも音、音声、光等が通過可能になっている。
前記側面部Ｂ３は手帳の背に相当する部分であり、背面取付部Ｂ１と表紙部Ｂ２とに繋がる部分は屈曲自在になっており、上部に吊り下げ用の索条、ストラップ等を通す係合孔２０が形成されている。
【００２３】
図４は装着体３を意匠生地３Ｂで形成した変形例を示している。意匠生地３Ｂは色彩、凹凸模様を施した合皮、皮、布等であり、通信端末Ａの背面と略同一形状のものを添設しており、この意匠生地３Ｂの内面側に前記各種形状の磁性材４が添設されており、内ケー
ス３Ａを用いなくとも、収納本体Ｂの背面取付部Ｂ１に磁着可能であり、摺動することにより磁着したまま位置を変更可能になっている。この意匠生地３Ｂにも、フラッシュ付きカメラＡ１に対向する光通孔が形成されている。
【００２４】
なお、本考案は前記実施形態における各部材の形状及びそれぞれの前後・左右・上下の位置関係は、図１〜４に示すように構成することが最良である。しかし、前記実施形態に限定されるものではなく、部材、構成を種々変形したり、組み合わせを変更したりすることもできる。
例えば、磁性材４を装着体３の背面（背面取付部Ｂ１に対面する面）に設けたり、磁石５を背面取付部Ｂ１の内面（装着体３に対面する面）に設けたりしてもよい。
【００２５】
磁性材４は、矩形、円形、楕円形、ハート形等の種々の形状に形成したり、１枚又は３枚以上の複数枚にしたり、左右方向に長い長方形薄板を上下方向に複数枚配列したりしてもよい。
装着体３の磁性材４と背面取付部Ｂ１の磁石５とを小面積に形成し、完全被覆位置αとフラッシュ付きカメラＡ１がはみ出す位置βとだけで磁着するようにし、その他の位置では、また装着体３を摺動するときには磁着が解消されるようにしてもよい。その場合には、装着体３には磁性材４の代わりに磁石を設けることも可能になる。
【符号の説明】
【００２６】
１      通信端末用収納具
３      装着体
３Ａ    内ケース
３Ｂ    意匠生地
４      磁性材
５      磁石
６      ミラー
１１    光通孔
１２    生地
１３    生地
１４    補助生地
１５    バンド
１５ａ  磁石
１６    磁石
１７    カードスロット
１８    開口
１９    透明樹脂シート
２０    係合孔
２１    貫通孔
Ａ      通信端末
Ａ１    カメラ
Ｂ      収納本体
Ｂ１    背面取付部
Ｂ２    表紙部
Ｂ３    側面部
α      完全被覆位置
β      はみ出し位置
【図１】
0003202572.tif 000003
【図２】
0003202572.tif 000004
【図３】
0003202572.tif 000005
【図４】
0003202572.tif 000006